(57)【特許請求の範囲】
【請求項１】
ブロック材を積み重ねて形成されるブロック覆工を繊維シート接着工により補修するブロック覆工の補修方法であって、
前記ブロック覆工の表面に繊維シートを接着する工程と、
前記繊維シートを貫通して前記ブロック覆工に達する固定孔を、積み重ねられた前記ブロック材のうち１層目の前記ブロック材を貫通して２層目の前記ブロック材まで達する深さに開ける工程と、
前記固定孔に繊維紐を挿入し、前記繊維紐を接着材により１層目の前記ブロック材と２層目の前記ブロック材とに固定する工程と、
前記繊維紐の前記固定孔から突出する先端を前記繊維シートの表面に広げて接着材により前記繊維シートに固定する工程とを有することを特徴とするブロック覆工の補修方法。
【請求項２】
請求項１記載のブロック覆工の補修方法において、前記繊維シートを前記ブロック覆工の表面に接着する前に、前記ブロック材の間の目地を掃除する工程を行うことを特徴とするブロック覆工の補修方法。
【請求項３】
請求項１または２記載のブロック覆工の補修方法において、前記繊維シートを前記ブロック覆工の表面に接着する前に、前記ブロック覆工の表面を不陸調整する工程を行うことを特徴とするブロック覆工の補修方法。
【請求項４】
請求項３記載のブロック覆工の補修方法において、前記ブロック材の間の目地に排水用ホースを設置し、目地材により前記排水用ホースを前記目地内に埋設した後、前記ブロック覆工の表面を不陸調整する工程を行うことを特徴とするブロック覆工の補修方法。
【請求項５】
請求項１〜４のいずれか１項に記載のブロック覆工の補修方法において、前記繊維シートの一部を２枚重ねとし、前記繊維シートの２枚重ねとされた部分を貫通して前記固定孔を開けるとともに前記繊維シートの２枚重ねとされた部分に前記繊維紐の先端を接着することを特徴とするブロック覆工の補修方法。
【請求項６】
請求項１〜５のいずれか１項に記載のブロック覆工の補修方法において、前記繊維シートは、炭素繊維、アラミド繊維またはガラス繊維等の繊維により形成されることを特徴とするブロック覆工の補修方法。
【請求項７】
請求項１〜６のいずれか１項に記載のブロック覆工の補修方法において、前記繊維紐は、炭素繊維、アラミド繊維またはガラス繊維等の繊維を三つ編み状に組んだ組紐として構成されるとともに、先端側は組紐が解かれた刷毛状とされていることを特徴とするブロック覆工の補修方法。
【請求項８】
請求項７記載のブロック覆工の補修方法において、前記組紐の部分に接着材を含浸させてから前記繊維紐を前記固定孔に挿入することを特徴とするブロック覆工の補修方法。
【請求項９】
請求項１〜８のいずれか１項に記載のブロック覆工の補修方法において、前記ブロック覆工はトンネルの内面に設けられるトンネル覆工であることを特徴とするブロック覆工の補修方法。
【請求項１０】
請求項１〜９のいずれか１項に記載のブロック覆工の補修方法により形成されたことを特徴とするブロック覆工の補修構造。
【発明の詳細な説明】
【技術分野】
【０００１】
本発明は、例えばトンネルの内面等に設けられるブロック覆工を繊維シート接着工により補修するブロック覆工の補修方法およびその補修構造に関する。
【背景技術】
【０００２】
トンネルの内面に設けられるトンネル覆工としては、石、レンガ、コンクリートブロック等のブロック材を積み重ねて形成されるブロック覆工が知られている。例えば、レンガトンネルでは、掘削したトンネルの内面に多数のレンガをモルタル等の目地材を用いて積み重ねてブロック覆工を形成している。
【０００３】
このようなブロック覆工では、漏水や経年変化、あるいは土圧等の外力によりブロック材に想定以上の荷重が作用し、１層目のブロック材の背面側の目地にひび割れが生じたりブロック材自体にひび割れが生じたりして、ブロック覆工全体の耐力が低下することがある。
【０００４】
このような耐力が低下したブロック覆工に対する補修作業は、例えば、非特許文献１に示されるように、目地やせ部分をブラシやブロワー等を用いて掃除し、次いで、モルタルガンや目地コテ等を用いて目地材を目地やせ部分に詰め込むことにより行われる。
【０００５】
しかしながら、目地補修は、目地部という狭小区間での上向作業となる場合が多く、また、覆工深部からの漏水の影響を考慮して固練りのモルタルが多く使用されるので、モルタルを手作業で目地詰め作業することは困難である。特に、２層目以降の目地部やブロックの背面の目地部に目地材を詰めることは困難であり、場合によっては目地の内部に目地空洞等の弱部が生じるおそれがあった。
【０００６】
そこで、ブロック覆工の表面をモルタル等により不陸調整した後、炭素繊維、アラミド繊維、ガラス繊維などで形成された繊維シートを接着する繊維シート接着工によりブロック材の剥離対策を行うようにしている。
【先行技術文献】
【非特許文献】
【０００７】
【非特許文献１】鉄道総合技術研究所編、「トンネル補強・補修マニュアル」、(財)研友社、１９９０年１０月
【発明の概要】
【発明が解決しようとする課題】
【０００８】
しかしながら、繊維シート接着工では、繊維シートの端部のめくれを防止するために、仕上げの段階でアンカーピンによる施工が多く行われるので、ブロック覆工の表面にひび割れがある場合には、アンカーピンの施工によりブロック材の欠けが誘発され、ブロック覆工の耐力が低下するおそれがあった。
【０００９】
これに対して、足の長いアンカーピンを使用して、ブロック覆工の深い位置でアンカーピンを固定する構造が考えられるが、この場合でも、アンカーピンを挿入するための孔径が大きくなるので、アンカー自体が太くなり、かえってブロックの欠けを誘発するおそれがある。また、アンカーピンとして拡底方式のものを用いた場合も、ブロック材のひび割れが増長され、ブロック材の欠けが誘発されるおそれがある。さらに、アンカーピンとしては、通常、鋼材製のものが用いられるので、その腐食も問題となる。
【００１０】
本発明の目的は、アンカー施工によるブロック材の破損を防止して補修後のブロック覆工の耐力を高めることにある。
【課題を解決するための手段】
【００１１】
本発明のブロック覆工の補修方法は、ブロック材を積み重ねて形成されるブロック覆工を繊維シート接着工により補修するブロック覆工の補修方法であって、前記ブロック覆工の表面に繊維シートを接着する工程と、前記繊維シートを貫通して前記ブロック覆工に達する固定孔を、積み重ねられた前記ブロック材のうち１層目の前記ブロック材を貫通して２層目の前記ブロック材まで達する深さに開ける工程と、前記固定孔に繊維紐を挿入し、前記繊維紐を接着材により１層目の前記ブロック材と２層目の前記ブロック材とに固定する工程と、前記繊維紐の前記固定孔から突出する先端を前記繊維シートの表面に広げて接着材により前記繊維シートに固定する工程とを有することを特徴とする。
【００１２】
本発明のブロック覆工の補修方法は、前記繊維シートを前記ブロック覆工の表面に接着する前に、前記ブロック材の間の目地を掃除する工程を行うことを特徴とする。
【００１３】
本発明のブロック覆工の補修方法は、前記繊維シートを前記ブロック覆工の表面に接着する前に、前記ブロック覆工の表面を不陸調整する工程を行うことを特徴とする。
【００１４】
本発明のブロック覆工の補修方法は、前記ブロック材の間の目地に排水用ホースを設置し、目地材により前記排水用ホースを前記目地内に埋設した後、前記ブロック覆工の表面を不陸調整する工程を行うことを特徴とする。
【００１５】
本発明のブロック覆工の補修方法は、前記繊維シートの一部を２枚重ねとし、前記繊維シートの２枚重ねとされた部分を貫通して前記固定孔を開けるとともに前記繊維シートの２枚重ねとされた部分に前記繊維紐の先端を接着することを特徴とする。
【００１６】
本発明のブロック覆工の補修方法は、前記繊維シートは、炭素繊維、アラミド繊維またはガラス繊維等の繊維により形成されることを特徴とする。
【００１７】
本発明のブロック覆工の補修方法は、前記繊維紐は、炭素繊維、アラミド繊維またはガラス繊維等の繊維を三つ編み状に組んだ組紐として構成されるとともに、先端側は組紐が解かれた刷毛状とされていることを特徴とする。
【００１８】
本発明のブロック覆工の補修方法は、前記組紐の部分に接着材を含浸させてから前記繊維紐を前記固定孔に挿入することを特徴とする。
【００１９】
本発明のブロック覆工の補修方法は、前記ブロック覆工はトンネルの内面に設けられるトンネル覆工であることを特徴とする。
【００２０】
本発明のブロック覆工の補修構造は、上記ブロック覆工の補修方法により形成されたことを特徴とする。
【発明の効果】
【００２１】
本発明によれば、鋼材製のアンカーピンや拡底方式のアンカーピンに代えて繊維紐により繊維シートをブロック覆工に固定するようにしたので、アンカー構造によりブロック材が欠けることを防止して、補修後のブロック覆工の耐力を高めることができる。また、繊維紐を用いて繊維シートをブロック覆工に固定するようにしたので、アンカー構造を軽量化して、繊維シートの剥がれを抑制することができる。さらに、繊維紐は現地で必要な長さに切断することができるので、この繊維紐を用いたブロック覆工の補修作業を容易にすることができる。
【図面の簡単な説明】
【００２２】
【図１】ブロック覆工が設けられたトンネルの概略を示す図である。
【図２】図１に示すトンネルのブロック覆工の一部を拡大して示す図である。
【図３】図２に示すブロック覆工の目地やレンガにひび割れが生じた状態を示す図である。
【図４】目地やレンガに生じたひび割れにより、ブロック覆工の一部にレンガの浮きが生じた状態を示す図である。
【図５】図４に示すブロック覆工におけるレンガの浮きを本発明の一実施の形態であるブロック覆工の補修方法により補修した状態を示す図である。
【図６】図５に示すブロック覆工の補修構造の断面図である。
【図７】図６に示す繊維紐の詳細を示す斜視図である。
【図８】目地が掃除されたブロック覆工の断面図である。
【図９】不陸調整されたブロック覆工の断面図である。
【図１０】表面に繊維シートが接着されたブロック覆工の断面図である。
【図１１】（ａ）は固定孔が開けられたブロック覆工の断面図であり、（ｂ）は同平面図である。
【図１２】固定孔に接着材が詰め込まれた状態を示す断面図である。
【図１３】固定孔に繊維紐が固定された状態を示す断面図である。
【図１４】（ａ）は繊維紐の先端が繊維シートの表面に放射状に広げて配置された状態を示す断面図であり、（ｂ）は同平面図である。
【図１５】図６に示すブロック覆工の補修構造の変形例を示す断面図である。
【発明を実施するための形態】
【００２３】
以下、本発明の実施の形態を図面に基づいて詳細に説明する。
【００２４】
図１に示すトンネル１１は、地山を掘削して形成され、その内面にトンネル覆工としてブロック覆工１２を設けたものである。図２に示すように、このブロック覆工１２は、ブロック材としてのレンガ１３を、モルタルを目地材としてトンネル１１の内面に沿って３層に積み重ねるとともにトンネル１１の奥行き方向に向けて連続して積んだ断面馬蹄形のアーチ状に形成されている。つまり、このトンネル１１は、多数のレンガ１３が目地１４を介して積まれた、いわゆるレンガトンネルとなっている。
【００２５】
このようなトンネル１１のブロック覆工１２では、漏水や経年変化、あるいは土圧等の外力によりレンガ１３に想定以上の荷重が作用することにより、図３に示すように、１層目のレンガ１３の背面側の目地１４にひび割れ１５が生じたり、レンガ１３自体にひび割れ１６が生じたりすることがある。このようなひび割れ１５，１６が生じると、図４に示すように、ブロック覆工１２の一部のレンガ１３に浮きが生じ、このレンガ１３が剥離するなどしてブロック覆工１２全体の耐力が低下することになる。
【００２６】
本発明は、図５、図６に示すように、このように耐力が低下したブロック覆工１２を、そのレンガ１３の浮きが生じた部分の表面に繊維シート２１を接着する、つまり繊維シート接着工を施すとともに、この繊維シート２１を繊維紐２２によりブロック覆工１２に固定することにより、補修するようにしたものである。
【００２７】
本発明のブロック覆工の補修構造では、繊維シート接着工に用いる繊維シート２１として、炭素繊維、アラミド繊維、ガラス繊維などの繊維により形成された連続繊維シートが用いられる。この繊維シート２１は、ブロック覆工１２のレンガ１３の浮きを生じた部分の全体を覆う大きさに切断され、レンガ１３の浮きを生じた部分を覆うようにブロック覆工１２の表面に接着材により接着されている。また、繊維シート２１の一部は、矩形に切り取られた繊維シート２１ａが重ねて接着されることにより２枚重ねにされている。
【００２８】
なお、ブロック覆工１２の繊維シート２１が接着される部分はモルタルにより不陸調整されている。
【００２９】
ブロック覆工１２には繊維紐２２を固定するための固定孔２３が設けられている。この固定孔２３は、２枚重ねにされた繊維シート２１，２１ａの中央部分を貫通し、繊維シート２１，２１ａの表面側に開口するとともに、１層目のレンガ１３を貫通して２層目のレンガ１３にまで達する深さに形成されている。
【００３０】
図７に示すように、繊維紐２２は、連続した繊維を三つ編み状に組んだ組紐として構成されている。繊維紐２２を構成する繊維としては、炭素繊維、アラミド繊維、ガラス繊維等が用いられる。繊維紐２２の先端側から１００ｍｍの部分には止め紐２２ａが巻かれ、この止め紐２２ａにより繊維紐２２の本体部分２２ｂが組紐状に保持されている。また、繊維紐２２の本体部分２２ｂは、予め接着材の中に浸され、接着材が含浸されることにより強度が発現した状態とされている。
【００３１】
繊維紐２２は、その本体部分２２ｂが固定孔２３に挿入され、固定孔２３に詰められた接着材により固定孔２３に固定されている。つまり、繊維紐２２の本体部分２２ｂは、接着材により１層目のレンガ１３と２層目のレンガ１３とに固定されている。これにより、１層目のレンガ１３は繊維紐２２により２層目のレンガ１３に固定されてブロック覆工１２からの剥離が防止される。
【００３２】
一方、繊維紐２２の止め紐２２ａよりも先端側の先端部分２２ｃは、組紐が解かれて各繊維がばらばらとなった刷毛（ブラシ）状に形成されている。繊維紐２２の先端部分２２ｃは、固定孔２３から繊維シート２１ａの表面側に突出しており、繊維シート２１ａの表面に沿うように折り曲げられて当該表面に放射状に配置されている。繊維紐２２の繊維シート２１ａの表面に放射状に配置された先端部分２２ｃは接着材が含浸されることにより繊維シート２１ａの表面に接着により固定されている。これにより、繊維紐２２は、繊維シート２１，２１ａをブロック覆工１２に固定するアンカーとして機能する。
【００３３】
なお、繊維紐２２は、繊維シート２１の２ｍ２毎に１つ設けられている。
【００３４】
次に、図８〜図１６に基づいて、本発明のブロック覆工の補修構造を形成する手順、つまり本発明の一実施の形態であるブロック覆工の補修方法によりブロック覆工１２を補修する手順について説明する。
【００３５】
本発明のブロック覆工の補修方法では、まず、掃除工程が行われる。掃除工程では、図８に示すように、ブロック覆工１２のレンガ１３の間の隙間部分つまり目地１４の表面がブラシ３１やブロワー３２等を用いて掃除され、目地１４から余分な目地材や異物等が取り除かれる。
【００３６】
次に、図９に示すように、ブロック覆工１２の繊維シート２１が接着される部分の表面が不陸調整される。不陸調整においては、ブロック覆工１２の掃除された目地１４に手作業やモルタルガン等を用いて目地材であるモルタルが詰め込まれるとともに、その表面がコテ３３等を用いてモルタルにより平らに仕上げられる。
【００３７】
次に、図１０に示すように、不陸調整されたブロック覆工１２の表面に、繊維シート２１が接着により貼り付けられる。この繊維シート２１としては、炭素繊維、アラミド繊維、ガラス繊維などの繊維により形成された連続繊維シートが用いられる。繊維シート２１は、ブロック覆工１２のレンガ１３の浮きが発生した部分の全体を覆う範囲に貼り付けられる。また、繊維シート２１の繊維紐２２が固定される箇所には、矩形に切り取られた繊維シート２１ａが重ねて貼り付けられて、当該部分の繊維シート２１，２１ａは２枚重ねとされる。
【００３８】
ブロック覆工１２に繊維シート２１が接着されると、図１１に示すように、ハンマドリル３４等の工具により、繊維シート２１，２１ａを貫通する固定孔２３がブロック覆工１２に開けられる。この固定孔２３は繊維シート２１，２１ａの２枚重ねにされた中央部分つまり矩形の繊維シート２１ａの中央部分を貫通して、当該中央部分に開口するとともに、１層目のレンガ１３を貫通して２層目のレンガ１３にまで達する深さに形成される。図示する場合では、固定孔２３の直径は１５ｍｍ〜２０ｍｍである。
【００３９】
次に、図１２に示すように、ブロック覆工１２に開けられた固定孔２３の内部にパテ状の接着材３５が詰められる。この接着材３５としては、例えば水中硬化型のものが用いられる。
【００４０】
次に、図１３に示すように、接着材３５が詰められた固定孔２３に繊維紐２２の本体部分２２ｂを挿入し、先に詰め込んだ接着材３５により繊維紐２２の本体部分２２ｂを固定孔２３に固定する。
【００４１】
この繊維紐２２は、炭素繊維、アラミド繊維、ガラス繊維等の連続した繊維を三つ編み状に組んだ組紐として構成され、その先端側から１００ｍｍの部分に止め紐２２ａが巻かれ、この止め紐２２ａにより繊維紐２２の本体部分２２ｂが組紐状に保持されたものである。また、繊維紐２２の本体部分２２ｂは、予め接着材が含浸されて強度が発現した状態とされている。繊維紐２２は、固定孔２３の深さや繊維シート２１，２１ａの２枚重ね部分の面積等に応じて、作業現場において適当な長さに切断して用いられる。
【００４２】
繊維紐２２が固定孔２３に固定されることにより、１層目のレンガ１３と２層目のレンガ１３とが繊維紐２２に接着材により固定され、互いに繊維紐２２により連結された状態とされる。また、１層目のレンガ１３に生じたひび割れ１６を固定孔２３が貫通しているので、この固定孔２３に固定された繊維紐２２により、１層目のレンガ１３のひび割れ１６に対する上下部分が互いに連結された状態とされる。
【００４３】
なお、このとき、繊維紐２２の刷毛状の先端部分２２ｃは固定孔２３から繊維シート２１，２１ａの表面側に突出した状態となっている。
【００４４】
次に、図１４に示すように、繊維紐２２の刷毛状の先端部分２２ｃが繊維シート２１ａの表面に沿うように折り曲げられ、繊維シート２１ａの２枚重ねされた部分の表面に広げられて放射状に配置される。そして、繊維紐２２の放射状に広げられた先端部分２２ｃに接着材が含浸され、繊維紐２２の先端部分２２ｃが繊維シート２１ａの表面に接着により固定される。
【００４５】
これにより、ブロック覆工１２の表面に接着された繊維シート２１，２１ａはアンカーとして機能する繊維紐２２によってブロック覆工１２に固定され、その剥がれや捲れが防止されることになる。また、目地１４のひび割れ１５により浮きを生じた１層目のレンガ１３は、繊維紐２２により２層目のレンガ１３に固定されるので、１層目のレンガ１３のブロック覆工１２からの剥離が防止される。さらに、ひび割れ１６を生じた１層目のレンガ１３は、そのひび割れ１６の上下部分がそれぞれ繊維紐２２により固定されて連結されるので、ひび割れ１６よりも下方側のレンガ１３の剥離を防止することができる。
【００４６】
なお、ブロック覆工１２のレンガ１３の浮きが発生した範囲が広い場合には、繊維シート２１の２ｍ２毎に１つの繊維紐２２を配置すればよい。
【００４７】
このように、本発明のブロック覆工の補修方法（補修構造）では、ブロック覆工１２のレンガ１３の浮きを生じた部分の表面に繊維シート２１，２１ａを接着により貼り付けるとともに、この繊維シート２１，２１ａをアンカーとして機能する繊維紐２２によってブロック覆工１２に固定するようにしたので、ブロック覆工１２の表面からのレンガ１３の剥離を防止することができるとともに、繊維シート２１，２１ａのブロック覆工１２の表面からの剥がれや捲れを防止することができる。
【００４８】
また、本発明のブロック覆工の補修構造では、繊維紐２２を１層目のレンガ１３から２層目のレンガ１３にまで達する固定孔２３に接着材３５により固定するようにしたので、１層目のレンガ１３を繊維紐２２により２層目のレンガ１３に固定することができ、これにより、１層目のレンガ１３のブロック覆工１２からの剥離を防止することができる。
【００４９】
さらに、本発明のブロック覆工の補修構造では、繊維紐２２を１層目のレンガ１３に生じたひび割れ１６を貫通する固定孔２３に接着材３５により固定するようにしたので、１層目のレンガ１３のひび割れ１６の上下部分を繊維紐２２により互いに連結させることができ、これにより、１層目のレンガ１３のひび割れ１６より下方側の部分がブロック覆工１２から剥離することを防止することができる。
【００５０】
したがって、このブロック覆工の補修方法により形成されるブロック覆工の補修構造により、このブロック覆工１２の耐性を高めることができる。
【００５１】
図１５は図６に示すブロック覆工の補修構造の変形例を示す断面図である。
【００５２】
図１５に示すブロック覆工の補修構造は、ブロック覆工１２から漏水を生じている場合に適用されるものである。
【００５３】
ブロック覆工１２が漏水を生じている場合に適用される本発明のブロック覆工の補修方法では、ブロック覆工１２の表面を不陸調整する前に、レンガ１３の間の目地１４に排水用のホース４１を設置し、このホース４１を目地材により目地１４の内部に埋設した後、ブロック覆工１２の表面を不陸調整するようにしている。それ以外の補修の工程については、図６に示す場合と同様である。
【００５４】
詳細は図示しないが、排水用のホース４１は、ブロック覆工１２の内部の漏水が発生する箇所に開口する取水孔を備えており、また、その先端はブロック覆工１２の所定箇所においてブロック覆工１２の外部に突出している。これにより、ブロック覆工１２の内部に染み出した漏水は、取水孔から排水用のホース４１に取り込まれ、ブロック覆工１２の外部に排出される。
【００５５】
なお、排水用のホース４１の外面には不織布が接着材により貼り付けられ、この不織布により、取水孔から排水用のホース４１の内部にモルタルや異物等が侵入するのが防止される。
【００５６】
このように、目地１４に排水用のホース４１を埋設することにより、ブロック覆工１２のレンガ１３の浮きに対する補修を行いつつ、ブロック覆工１２からの漏水を防止することができる。
【００５７】
なお、図１５においては、前述した部材に対応する部材には同一の符号が付してある。
【００５８】
本発明は前記実施の形態に限定されるものではなく、その要旨を逸脱しない範囲で種々変更可能であることはいうまでもない。例えば、前記実施の形態においては、繊維紐２２の刷毛状の先端部分２２ｃを放射状に広げて繊維シート２１ａに接着するようにしているが、これに限らず、例えば先端部分２２ｃを扇形状に広げて繊維シート２１ａに接着するなど、先端部分２２ｃを他の形状に広げて繊維シート２１ａに接着するようにしてもよい。
【００５９】
また、前記実施の形態においては、繊維紐２２が固定される部分の繊維シート２１，２１ａを２枚重ねにしているが、これに限らず、例えば繊維シート２１を１枚のみとし、または、繊維シート２１を３枚重ね以上にしてもよい。
【００６０】
さらに、前記実施の形態においては、繊維シート２１，２１ａは、炭素繊維、アラミド繊維、ガラス繊維等の繊維により形成されるが、これに限らず、他の繊維により形成されたものを用いてもよい。
【００６１】
さらに、前記実施の形態においては、繊維紐２２は、炭素繊維、アラミド繊維、ガラス繊維等の連続した繊維を三つ編み状に組んで組紐として構成するようにしているが、これに限らず、一端から他端までが連続した繊維で形成された紐であれば、他の繊維や編み方等で形成されたものであってもよい。
【符号の説明】
【００６２】
１１  トンネル
１２  ブロック覆工
１３  レンガ
１４  目地
１５，１６  ひび割れ
２１  繊維シート
２１ａ  繊維シート
２２  繊維紐
２２ａ  止め紐
２２ｂ  本体部分
２２ｃ  先端部分
２３  固定孔
３１  ブラシ
３２  ブロワー
３３  コテ
３４  ハンマドリル
３５  接着材
４１  ホース
【図１】
0005654922.tif 000002
【図２】
0005654922.tif 000003
【図３】
0005654922.tif 000004
【図４】
0005654922.tif 000005
【図５】
0005654922.tif 000006
【図６】
0005654922.tif 000007
【図７】
0005654922.tif 000008
【図８】
0005654922.tif 000009
【図９】
0005654922.tif 000010
【図１０】
0005654922.tif 000011
【図１１】
0005654922.tif 000012
【図１２】
0005654922.tif 000013
【図１３】
0005654922.tif 000014
【図１４】
0005654922.tif 000015
【図１５】
0005654922.tif 000016